(57)【特許請求の範囲】
【請求項１】
絶縁壁で仕切られたフレームの端子収容部に固定されたネジ孔を有する固定端子に丸形圧着端子等を接続する電気機器の端子装置において、
前記ネジ孔に先端が結合する雄ネジと、この雄ネジに回動可能に保持され、一方を固定端子側に折曲した案内板部を有する逆Ｌ字形座金とからなる端子ネジを備え、前記端子収容部に、前記逆Ｌ字形座金の案内板部が挿入されて、該案内板部の上下方向の移動をガイドするとともに、雄ネジの先端が固定端子に結合した状態では前記案内板部のガイドを解除する案内溝を形成し、かつ前記逆Ｌ字形座金の案内板部は、中央を厚肉部とし、両側を薄肉部として形成されるとともに、前記案内溝は該薄肉部の厚さ方向をガイドする縦溝と該厚肉部の幅方向をガイドする案内壁とからなり、雄ネジの先端が固定端子との間で一定間隔を有するように前記案内溝にガイドされた案内板部を保持する係合部を、前記逆Ｌ字形座金の案内板部及び前記案内溝側に形成したことを特徴とする電子機器の端子装置。
【請求項２】
請求項１に記載の電気機器の端子装置において、前記端子収容部に案内溝と連なる切り欠きを設け、この切り欠きに嵌め込まれる可撓性のたわみ片に前記案内溝側の係合部を形成したことを特徴とする電気機器の端子装置。
【請求項３】
請求項２に記載の電気機器の端子装置において、フレームに取付けられるカバーを備え、該カバーに前記可撓性のたわみ片を設けたことを特徴とする電気機器の端子装置。
【発明の詳細な説明】
【０００１】
【発明の属する技術分野】
この発明は、丸型圧着端子などの導電材端を、端子ネジを固定端子板から取り外さずに容易に接続できる電気機器の端子装置に関する。
【０００２】
【従来の技術】
一般に、電磁接触器・電磁開閉器などの電気機器に組み込まれて使用される電線接続用の端子装置は、ネジ孔を有する固定端子板と、これに結合した雄ネジに緩やかに支持される座金との間に配線端を挿入した状態で雄ネジを締め込むことにより電気機器に配線が接続される。丸孔を有する丸型圧着端子を端末に固定させた電線をこの端子装置に接続する時、ねじこまれていた雄ネジを固定端子板から外し、この雄ネジに丸型圧着端子の孔を嵌め込んだ後、再び雄ネジを固定端子板のネジ孔にねじ込む必要があった。この作業は、固定端子板にねじ込まれた雄ネジを一旦取り外す手間がかかるとともに、作業ミスによって雄ネジを落としたりする可能性が多く、落とした雄ネジを探したり、拾ったりする手間がかかり、接続作業能率の低下を招くことがあった。そのために接続作業能率を改善した電気機器の端子装置が幾つか提案されている。
【０００３】
図９は、特開昭６０−１３００６８号公報に記載された接続作業能率を改善した従来の電気機器の端子装置の要部を模式化した断面図である。図において、端子装置の絶縁材からなるフレーム側に固定された固定端子１３はネジ孔１３ａを有し、このネジ孔１３ａにねじ結合する雄ネジ１２はその頭部に近いくびれ部分に回動可能に緩かに支持された座金１２ａを備えている。また、端子装置を上方から覆う感電防止用の端子カバー１１には、雄ネジ１２の締め込みや緩め戻しを行うためのドライバーを挿入する丸孔１１ｈが形成されている。更に丸孔１１ｈの下部には、雄ネジ１２の頭部の下面に係合して雄ネジ１２を支持する可撓性の保持片１１ａが形成され、雄ネジ１２の先端とネジ孔１３ａとの間隔を保った状態で出荷される。結線時は、前述のように雄ネジを緩める事なしに雄ネジ１２の先端に丸型圧着端子の丸穴が嵌め込まれてから雄ネジ１２が押し下げられて、締め込まれる。
【０００４】
図１０は、特公平４−４７０７号公報に記載された異なる従来例を示す端子装置の主要部の正面図であり、図１１はこの端子ネジの形状を示す斜視図である。図において、この端子装置は、絶縁材のフレーム２１に固定されたネジ孔１７ａを有する固定端子１７と、このネジ孔１７ａにねじ結合する雄ネジ１６及びこの雄ネジの頭部に近いくびれ部分に回動可能に緩かに支持された逆Ｌ字形座金からなる端子ネジとから構成されている。
【０００５】
逆Ｌ字形座金１５は図１１（ｂ）に示すように雄ネジが貫通する座金部と垂直部からなる逆Ｌ字形の形状をしており、垂直部の下端に折曲部１５ａが形成されている。この垂直部が図１０のフレーム２１側に形成された案内溝２１ａと係合して雄ネジ１６を上下に移動可能に案内することにより、雄ネジ１６を固定端子１７のネジ孔１７ａにねじ込み、緩め戻す作業が可能になる。また、固定端子１７の下部には板バネ１８が設けられ、その先端が逆Ｌ字形座金１５の折曲部１５ａと係合したとき、雄ネジ１６の先端はネジ孔１７ａから離されて保持される。この状態で雄ネジ１６の先端に圧着端子３１を挿入してから雄ネジ１６を下方に押し下げ、雄ネジ１６の締め込みを行うことにより、電線の接続を雄ネジ１６の緩め戻し無しに行うことができる。
【０００６】
【発明が解決しようとする課題】
しかしながら、図９の端子装置においては、雄ネジを締め付ける際に雄ネジが保持片から外れる時や外れた後に雄ネジ先端の向きが一定しないため、固定端子のネジ孔１３ａに雄ネジの先端を螺入することが困難であった。又、丸型圧着端子の丸孔に雄ネジが挿入された状態にて電線が引っ張られた場合には雄ネジが保持片から脱落するといったおそれがある。更に配線の脱着時、および丸型圧着端子を追加接続する時には、端子カバーを外す必要があり作業が煩雑であった。
【０００７】
図１０の端子装置は配線工数の低減とネジの紛失対策が考慮されたものであるが、逆Ｌ字形座金を上部で保持するために板バネを用いており、部品数が増加するという欠点がある。また、逆Ｌ字形座金の垂直部はフレーム２１の案内溝２１ａによって紙面と垂直方向に移動できない構造のため、雄ネジの両側に線径が異なる電線を同時に接続する時、普通のネジ締めつけ力では座金が傾かずに細い線径の電線への締め付け力が弱かった。更に単線を端子ネジの片側に挿入し、ネジを強く締めると、逆Ｌ字形座金の座金部と垂直部との接続部が変形して再使用できなくなる欠点があった。
【０００８】
この発明の課題は、部品点数を増やすことなく、雄ネジを固定端子のネジ孔に確実に案内できるとともに、異なる電線径の並列接続も確実に行える電気機器の端子装置を提供することにある。
【０００９】
【課題を解決するための手段】
この発明は、絶縁壁で仕切られたフレームの端子収容部に固定されたネジ孔を有する固定端子に丸形圧着端子等を接続する電気機器の端子装置において、前記ネジ孔に先端が結合する雄ネジと、この雄ネジに回動可能に保持され、一方を固定端子側に折曲した案内板部を有する逆Ｌ字形座金とからなる端子ネジを備え、前記端子収容部に、前記逆Ｌ字形座金の案内板部が挿入されて、該案内板部の上下方向の移動をガイドするとともに、雄ネジの先端が固定端子に結合した状態では前記案内板部のガイドを解除する案内溝を形成し、かつ前記逆Ｌ字形座金の案内板部は、中央を厚肉部とし、両側を薄肉部として形成されるとともに、前記案内溝は該薄肉部の厚さ方向をガイドする縦溝と該厚肉部の幅方向をガイドする案内壁とからなり、雄ネジの先端が固定端子との間で一定間隔を有するように前記案内溝にガイドされた案内板部を保持する係合部を、前記逆Ｌ字形座金の案内板部及び前記案内溝側に形成するものである。
【００１２】
請求項２の発明は、上述した電気機器の端子装置において、前記端子収容部に案内溝と連なる切り欠きを設け、この切り欠きに嵌め込まれる可撓性のたわみ片に前記案内溝の係合部を形成するものである。
【００１３】
請求項３の発明は、請求項２に記載の電気機器の端子装置において、フレームに取付けられるカバーを備え、該カバーに前記可撓性のたわみ片を設けるものである。
【００１４】
【発明の実施の形態】
この発明は、絶縁壁で仕切られたフレームの端子収容部に固定されたネジ孔を有する固定端子に丸形圧着端子等を接続する電気機器の端子装置において、前記ネジ孔に先端が結合する雄ネジと、この雄ネジに回動可能に保持され、一方を固定端子側に折曲した案内板部を有する逆Ｌ字形座金とからなる端子ネジを備え、前記端子収容部に、前記逆Ｌ字形座金の案内板部が挿入されて、該案内板部の上下方向の移動をガイドするとともに、雄ネジの先端が固定端子に結合した状態では前記案内板部のガイドを解除する案内溝を形成し、かつ前記逆Ｌ字形座金の案内板部は、中央を厚肉部とし、両側を薄肉部として形成されるとともに、前記案内溝は該薄肉部の厚さ方向をガイドする縦溝と該厚肉部の幅方向をガイドする案内壁とからなり、雄ネジの先端が固定端子との間で一定間隔を有するように前記案内溝にガイドされた案内板部を保持する係合部を、前記逆Ｌ字形座金の案内板部及び前記案内溝側に形成するものである。
【００１５】
【実施例】
この発明の実施例を図１から図８に示し、以下に説明する。
実施例１：図３は本発明の一実施例を示す電気機器の端子装置の分解斜視図である。この端子装置は絶縁壁で区切られた複数の端子収容部３を有し、両側壁に係合孔５ａが設けられたフレーム５と、このフレーム５の端子収容部３に取付けられる端子ネジ２と、前記係合孔５ａに係合される爪１ｇと端子収容部３側に突出するたわみ片１ｂを有するカバー１とから構成されている。前記カバー１は爪１ｇがフレーム５の係合孔５ａに係合されることによりフレーム５に取付けられる。また、前記端子収容部３にはネジ孔を有する固定端子が固定されている。
【００１６】
図１はこの発明の主要部の構成を示す図３の一部拡大斜視図であり、図２は図１の端子ネジ２を示す斜視図である。図において、端子ネジ２は、図示しないバネ座金を備えた雄ネジ２ｎと、中央が厚肉部２ｂであり、両側を例えば潰し加工によって薄肉部２ｃとした案内板部２０と，雄ネジ２ｎが貫通する水平部とからなる逆Ｌ字形座金２ａとから構成されており、この雄ネジ２ｎは逆Ｌ字形座金２ａに回動可能に取付けられている。また、前記案内板部２０の背面には図２に示すように円弧状の凹部（係合部）２ｈが設けられており、前記カバー１のたわみ片１bには、前記案内板部２０の凹部２ｈと係合する円弧状の凸部（係合部）１ａが設けられている。ここで、案内板部２０に形成される凹部２ｈとカバー１のたわみ片１ｂに形成される凸部１ｂの位置は、該凸部１ｂと凹部２ｈが嵌合した状態で、端子ネジの雄ネジの先端と固定端子との間に間隔が設けられるように設定されている。
さらに、前記端子収容部３には、前記逆Ｌ字形座金２ａの案内板部２０が挿入されて、その案内板部２０の上下方向の移動をガイドする案内溝３ｍと前記カバー１のたわみ片１ｂが嵌まり込む切り欠き３ｋが形成されている。前記案内溝３mは逆Ｌ字座金の案内板部２０の薄肉部２ｃの厚さ方向をガイドする縦溝と前記厚肉部２ｂの幅方向をガイドする案内壁３ｐからなり、逆L字形座金に電線を締め付ける位置では案内板部２０のガイドが解除されるように、案内壁３ｐの下側に厚肉部２ｂの幅方向よりも幅広なテーパが設けられている。
【００１７】
このような構成において、端子ネジ２を端子収容部３に取付けるには、まず端子収容部３の切り欠き３ｋにカバー１のたわみ片１ｂを嵌め込んで該たわみ片１bの凸部１ａを案内溝３ｍ内に位置させる。そして、端子ネジ２の逆Ｌ字形座金２ａの案内板部２０を端子収容部３の案内溝３ｍに上方より挿入し、該案内板部２０の薄肉部２ｃと厚肉部２ｂをそれぞれ案内溝３ｍの縦溝と案内壁３ｐにガイドさせて下方に押し込むと、該案内板部２０の凹部２ｈがたわみ片１ｂの凸部１ａと嵌合する。
【００１８】
図４はこの嵌合状態を示す端子装置の一部断面の側面図である。端子ネジ２の逆Ｌ字形座金２ａの凹部２ｈとたわみ片１ｂの凸部１ａが嵌合した状態では、端子ネジ２の雄ネジ２ｎの先端と図示しない固定端子との間に間隔が保持されており、この状態で顧客に出荷される。
【００１９】
図５は本発明の端子装置に電線付きの丸型圧着端子を接続する状態を示す断面図であり、（ａ）は丸型圧着端子の挿入状態、（ｂ）は端子ネジの押下状態、（ｃ）は丸型圧着端子の接続完了状態である。まず、図４の状態にある雄ネジ２ｎの先端と固定端子３ｎとの間に丸形圧着端子３１が挿入される〔図（ａ）〕。この状態からドライバー等で雄ネジ２ｎの頭部を押し下げると、案内板部２０の凹部とたわみ片１ｂの凸部１ａとの嵌合が外れ、案内板部２０はたわみ片１ｂを撓ませながら案内溝３ｍにガイドされて下方に移動するとともに、雄ネジ２ｎの先端が固定端子３ｎのネジ孔に向けて案内される〔図（ｂ）〕。この状態では、たわみ片１ｂの凸部１ａと逆Ｌ字形座金２ａのワッシャー曲げ部が接触しており、雄ネジ２ｎの締め付け方向と逆方向に力を加えないと端子ネジ２は上がらないため雄ネジ２ｎの先端と固定端子３ｎ間に隙間が生ぜず、丸型圧着端子３１を仮止めできる。更に、雄ネジ２ｎを締め付けると丸型圧着端子３１が固定端子３ｎと逆Ｌ字形座金２ａとの間に押圧固定される〔図（ｃ）〕。
【００２０】
なお、図（ｃ）の接続完了状態から配線変更等により丸形圧着端子３１を取り外す場合には、雄ネジ２ｎを緩め戻し、この状態で逆Ｌ字形座金の水平部の先端を下からドライバー等の工具で持ち上げて案内板部２０の凹部がたわみ片１ｂの凸部に係合する位置、すなわち図（ａ）の状態まで引き上げ、その後、丸形圧着端子を引き抜く。
【００２１】
図６は図５の（ａ）の端子ねじの保持状態を示す端子装置の要部断面図であり、（ａ）は雄ネジ２ｎを備えた逆Ｌ字形座金が案内溝に挿入された状態図、（ｂ）は逆Ｌ字形座金のみが案内溝に挿入された状態図である。（ｂ）にて薄肉部２ｃの側面は案内溝３ｍの縦溝内に挿入されているとともに、厚肉部２ｂの両側は案内壁３ｐによって制約を受けるため、雄ネジ２ｎの振れは前後左右共に少なく雄ネジ２ｎは直下に押下げられるので雄ネジ２ｎの先端を確実に固定端子３ｎのネジ孔に導くことができる。
【００２２】
図７は本発明の端子装置に線径が異なる電線を雄ネジの両側に並列接続した締め付け完了を示す要部断面図であり、（ａ）は雄ネジを備えた逆Ｌ字形座金の挿入状態図、（ｂ）は逆Ｌ字形座金のみを示す挿入状態図である。図において、細い電線３５と太い電線３６を雄ネジ２ｎの両側に挿入して端子ネジを押し下げると、図（ｂ）に示すように逆Ｌ字形座金２ａの案内板部が案内溝３ｍのガイドから解除されて逆Ｌ字形座金２ａの水平部が傾き、該水平部の下面が線形の異なる電線３５、３６の双方に接触する位置で安定する。これは、案内溝３ｍの形状を、案内板部の厚肉部２ｂの両側が当たるのを防止するために案内壁３ｐにテーパを形成するとともに、案内板部の薄肉部２ｃの両側が当たるのを防止するために案内溝３ｍの縦溝内の一部案内壁の下側に空間部を形成するように構成しているためである。
【００２３】
なお、上述の実施例では、線形の異なる２本の電線を接続する場合を示したが、電線１本を接続する場合にも同様に逆Ｌ字形座金２ａの傾きが発生して確実に電線を固定することができる。
【００２４】
実施例２：図８は本発明の他の実施例を示す図であり、（ａ）は端子装置の分解斜視図、（ｂ）は端子ネジ８の部分斜視図である。図において、本実施例の端子装置は、案内板部８０の先端を狭幅部８ｓとして形成し、該案内板部８０の係合部を凹溝８ｈとした逆Ｌ字形座金８ａを備えている端子ネジ８と、可撓性のたわみ片７ｂに形成される係合部を前記凹溝８ｈに係合する凸条７ａとしたカバー７と、前記案内板部８０の厚さ方向および幅方向をガイドする縦溝及び逆Ｌ字形座金８ａの細部８ｔをガイドする案内壁９ｐからなる案内溝９ｍと，前記たわみ片７ｂが嵌め込まれる切り欠き９ｋを設けた端子収容部９とから構成されている。前記案内溝９ｍは、逆L字形座金に電線を締め付ける位置では案内板部８０のガイドが解除されるように、案内壁９ｐの下側にテーパを設けるとともに、縦溝内の一部案内壁の下側には案内板部の幅方向よりも幅広な空間が設けられている。なお、その他の構成は実施例１と同様であるのでその説明は省略する。
【００２５】
このような構成において、カバー７のたわみ片７ｂを端子収容部９の切り欠き９ｋに嵌め込んで該たわみ片７ｂの凸条７ａを案内溝９ｍ内に位置させ、前記端子ネジ８の逆Ｌ字形座金８ａの案内板部８０を端子収容部９の案内溝９ｍに上方より挿入すると、案内板部８０の凹溝８ｈがたわみ片７ｂの凸条７ａと嵌合して図４の実施例１と同じように、雄ネジ８ｎの先端と図示しない固定端子との間に間隔が保持された状態となる。また、案内溝９ｍにガイドされた逆Ｌ字形座金は、該逆Ｌ字形座金に電線を締め付ける位置では案内板部８０のガイドが案内溝３ｍから解除されるように構成されているので、図７と同様に径の異なる電線を左右に確実に締め付けることができる。なお、本実施例においては、案内壁９ｐの幅を逆Ｌ字形座金の細部８ｔの幅とほぼ同じ大きさとし、その案内壁９ｐの下側に幅広のテーパを設けたが、該案内壁の幅を細部８ｔよりも大きくして該逆Ｌ字形座金が傾いたときにその細部８ｔの両側面が当たらないように構成すれば、テーパを設ける必要がなくなり、案内溝の構成を簡素化することができる。
【００２６】
【発明の効果】
本発明によれば、逆Ｌ字形座金の案内板部を案内溝にガイドされた状態で、端子ネジを雄ネジの先端が固定端子との間で一定間隔を有するように保持させることができるので、端子ネジの脱落，転倒，あるいは紛失といった事態を回避でき、しかも、端子ネジの雄ネジを固定端子のネジ穴に確実に案内することができる。さらに、配線の締め付け位置にて逆Ｌ字形座金が傾くことが可能なため線径の異なる両側の電線や片側だけの電線もしっかり固定できる。
【００２７】
【図面の簡単な説明】
【図１】この発明の一実施例を示す端子装置の分解斜視図
【図２】図１の端子ネジを示す斜視図
【図３】この発明の一実施例を示す端子装置の分解斜視図
【図４】この発明の嵌合状態を示す端子装置の部分断面図
【図５】この発明の端子装置に丸型圧着端子を接続する状態を示す断面図であり、(a) は丸型圧着端子の挿入状態図、(b) は端子ネジの押下状態図、(c) は丸型圧着端子の接続完了状態図
【図６】図５（ａ）の端子ネジの保持状態を示す端子装置の要部断面図であり、(a)は雄ネジを備えた逆Ｌ字形座金の挿入状態図、(b)は逆Ｌ字形座金のみの挿入状態図
【図７】ネジの両側に線径が異なる電線を固定する時の要部断面図であり、(a) は雄ネジを備えた逆Ｌ字形座金の挿入状態図、(b) は逆Ｌ字形座金のみの挿入状態図
【図８】本発明の他の実施例の説明図であり、(a) は端子装置の分解斜視図、(b) は端子ネジの斜視図
【図９】従来の端子装置の模式断面図
【図１０】異なる従来例を示す端子装置の主要部の正面図
【図１１】図１０の端子ネジの形状を示す斜視図であり、(a) は正面図、(b) は側面図
【符号の説明】
１    カバー
１ａ  凸部（係合部）
１ｂ  たわみ片
２    端子ネジ
２ａ  逆Ｌ字形座金
２ｂ  厚肉部
２ｃ  薄肉部
２ｈ  凹部（係合部）
２ｎ  雄ネジ
３    端子収容部
３ｍ  案内溝
５    フレーム
１３    固定端子
３１    丸型圧着端子
【図１】
0003744135.tif 000002
【図２】
0003744135.tif 000003
【図３】
0003744135.tif 000004
【図４】
0003744135.tif 000005
【図５】
0003744135.tif 000006
【図６】
0003744135.tif 000007
【図７】
0003744135.tif 000008
【図８】
0003744135.tif 000009
【図９】
0003744135.tif 000010
【図１０】
0003744135.tif 000011
【図１１】
0003744135.tif 000012